(57)【要約】      （修正有）【課題】設備やコストを増やさずに、ユーザの多様なコンテキストを取得することが可能なコンテキスト情報収集ネットワーク、コンテキスト情報サーバ及びコンテキスト情報収集方法を提供する。【解決手段】通信部によって受信されたコンテキスト情報をユーザ毎に格納するコンテキスト情報データベース２０を備えたコンテキスト情報サーバ１２と、コンテキスト情報１２サーバから受信した１次的コンテキスト情報に基づいてそれに関連する２次的コンテキスト情報を検索し、検索した２次的コンテキスト情報をコンテキスト情報サーバ１２に送信する２次的コンテキスト情報検索システム１４Ａ、１４Ｂと、コンテンツ情報を格納するコンテンツ情報配信サーバ１６と、を備えたコンテキスト情報収集ネットワーク。【選択図】図１
2006012076.tif 000002
【特許請求の範囲】
【請求項１】
通信部及び該通信部によって受信されたコンテキスト情報をユーザ毎に格納するコンテキスト情報データベースを備えたコンテキスト情報サーバと、
前記コンテキスト情報サーバから受信した１次的コンテキスト情報に基づいてそれに関連する２次的コンテキスト情報を検索し、検索した２次的コンテキスト情報を前記コンテキスト情報サーバに送信する２次的コンテキスト情報検索システムと、を備えたコンテキスト情報収集ネットワークであって、
前記通信部は、ユーザのクライアント端末から１次的コンテキスト情報を受信すると、受信した１次的コンテキスト情報を前記２次的コンテキスト情報検索システムに送信し、
前記コンテキスト情報データベースは、前記通信部が前記２次的コンテキスト情報検索システムから２次的コンテキスト情報を受信すると、受信された２次的コンテキスト情報をコンテキスト情報として格納するよう構成されていることを特徴とするコンテキスト情報収集ネットワーク。
【請求項２】
通信部及びコンテンツ情報を格納するコンテンツ情報データベースを備えたコンテンツ情報サーバをさらに備え、
前記コンテキスト情報サーバは、その通信部が前記コンテンツ情報サーバからコンテンツ情報を受信すると、受信したコンテンツ情報に関連するコンテキスト情報を有するユーザを前記コンテキスト情報データベースに基づいて検索する検索手段をさらに備え、
前記コンテキストサーバの通信部は、前記検索手段によって検索されたユーザのクライアント端末に前記コンテンツ情報を送信するよう構成されていることを特徴とする請求項１記載のコンテキスト情報収集ネットワーク。
【請求項３】
前記コンテキスト情報サーバは、受信した１次的コンテキスト情報を送信する２次的コンテキスト情報検索システムを予め登録していることを特徴とする請求項１又は２記載のコンテキスト情報収集ネットワーク。
【請求項４】
受信した１次的コンテキスト情報に基づいてそれに関連する２次的コンテキスト情報検索システムを検索するシステム検索システムをさらに備え、
前記コンテキスト情報サーバは、前記通信部がユーザのクライアント端末から１次的コンテキスト情報を受信すると、受信された１次的コンテキスト情報を通信部よって前記システム検索システムに送信し、
前記システム検索システムは、受信した１次的コンテキスト情報に基づいて２次的コンテキスト情報検索システムを検索し、検索した２次的コンテキスト情報検索システムに関する情報を前記コンテキスト情報サーバに送信し、
前記コンテキスト情報サーバは、前記通信部が前記システム検索システムから２次的コンテキスト情報検索システムに関する情報を受信すると、受信された情報に関する２次的コンテキスト情報検索システムに前記１次的コンテキスト情報を送信するよう構成されていることを特徴とする請求項１乃至３いずれか記載のコンテキスト情報収集ネットワーク。
【請求項５】
通信部及び該通信部によって受信されたコンテキスト情報をユーザ毎に格納するコンテキスト情報データベースを備えたコンテキスト情報サーバにおいて、
前記通信部は、ユーザのクライアント端末から１次的コンテキスト情報を受信すると、前記コンテキスト情報サーバから受信した１次的コンテキスト情報に基づいてそれに関連する２次的コンテキスト情報を検索し、検索した２次的コンテキスト情報を前記コンテキスト情報サーバに送信する２次的コンテキスト情報検索システムに、受信した１次的コンテキスト情報を送信し、
前記コンテキストデータベースは、前記通信部が前記２次的コンテキスト情報検索システムから２次的コンテキスト情報を受信すると、受信された２次的コンテキスト情報をコンテキスト情報として格納するよう構成されていることを特徴とするコンテキスト情報サーバ。
【請求項６】
前記通信部が、コンテンツ情報を格納するコンテンツ情報データベースを備えたコンテンツ情報サーバからコンテンツ情報を受信すると、前記コンテキスト情報データベースに格納されているコンテキスト情報に基づいて、受信したコンテンツ情報に関連するコンテキスト情報を有するユーザを検索する検索手段をさらに備え、
前記通信部は、前記検索手段によって検索されたユーザのクライアント端末に前記コンテンツ情報を送信するよう構成されていることを特徴とする請求項５記載のコンテキスト情報サーバ。
【請求項７】
ユーザのクライアント端末から１次的コンテキスト情報を受信する１次的コンテキスト受信工程と、
受信された１次的コンテキスト情報に基づいて２次的コンテキスト情報を検索する２次的コンテキスト検索工程と、
該２次的コンテキスト検索工程によって検索された２次的コンテキスト情報を前記受信工程で受信された１次的コンテキスト情報とともにコンテキスト情報としてユーザ毎に格納するコンテキスト情報格納工程と、
を備えたことを特徴とするコンテキスト情報収集方法。
【請求項８】
新しいコンテンツ情報に関連するコンテキスト情報を有するユーザを前記コンテキスト情報格納工程で格納されたコンテキスト情報に基づいて検索するユーザ検索工程と、
該ユーザ検索工程によって検索されたユーザに前記新しいコンテンツ情報を配信するコンテンツ情報配信工程と、
を備えたことを特徴とする請求項７記載のコンテキスト情報収集方法。
【発明の詳細な説明】
【技術分野】
【０００１】
本発明は、ユーザを特徴付ける為に使われる情報であるコンテキスト情報を収集するコンテキスト情報収集ネットワーク、コンテキスト情報サーバ及びコンテキスト情報収集方法に関する。
【背景技術】
【０００２】
近年、いつでも、どこでも、どんなものからでもネットワークにつながるユビキタス環境の実現が現実味を帯びてきたが、そのような環境においては必要な情報だけを必要な時に必要な端末だけに配信されるサービスが求められてくる。また個人の嗜好は多様化し、ユーザのニーズは場所や時間や状況などのコンテキストによって変化している。コンテキストとは、ユーザを特徴付ける為に使われる情報のことであり、例えば性別、血液型、生年月日といった静的な情報から位置情報、速度、体温、感情などの動的な情報、さらに気温、天気など環境情報等様々な情報を含んでいる。
【０００３】
コンテキストを収集する手段には、ＲＦＩＤタグを利用したもの（非特許文献１）や、ＰＨＳの位置情報サービスを利用したもの（非特許文献２）など様々なものが提案されている。これらのコンテキストを活用したサービスはコンテキストアウェアサービスと呼ばれ、様々な業界で開発が進んでいる。例えば、鉄道の分野でも、交通システム上の動的な人の位置や状態などの把握から、鉄道を知能化する高度なアプリケーションの構築を目指した新しい鉄道システムのコンセプトが積極的に提案されている。
【０００４】
【非特許文献１】森川他、「コンテキストを活用したサービスプラットフォームの検討」、ＤＩＣＯＭＯ２００３シンポジウムＮｏ．０７１，２００３年６月
【非特許文献２】中西他、「Ｃｏｎｔｅｘｔ  Ａｗａｒｅ  Ｍｅｓｓａｇｉｎｇ  Ｓｅｒｖｉｃｅ：位置情報とスケジュール情報を用いたコミュニケーションシステムの構築および運用実験」、情報処理学会論文誌  Ｖｏｌ．４２Ｎｏ．７
【発明の開示】
【発明が解決しようとする課題】
【０００５】
ところで、多様化するユーザのニーズに対応するためには、ユーザの様々なコンテキストを取得する必要があり、ユーザのコンテキストは様々な手段で取得できるが、手段が増えれば設備やコストも増えるという問題がある。
【０００６】
そこで、本発明は、設備やコストを増やさずに、ユーザの多様なコンテキストを取得することが可能なコンテキスト情報収集ネットワーク、コンテキスト情報サーバ及びコンテキスト情報収集方法を提供することを目的とする。
【課題を解決するための手段】
【０００７】
以上の目的を達成するため、本発明は、通信部及び該通信部によって受信されたコンテキスト情報をユーザ毎に格納するコンテキスト情報データベースを備えたコンテキスト情報サーバと、前記コンテキスト情報サーバから受信した１次的コンテキスト情報に基づいてそれに関連する２次的コンテキスト情報を検索し、検索した２次的コンテキスト情報を前記コンテキスト情報サーバに送信する２次的コンテキスト情報検索システムと、を備えたコンテキスト情報収集ネットワークであって、前記通信部は、ユーザのクライアント端末から１次的コンテキスト情報を受信すると、受信した１次的コンテキスト情報を前記２次的コンテキスト情報検索システムに送信し、前記コンテキスト情報データベースは、前記通信部が前記２次的コンテキスト情報検索システムから２次的コンテキスト情報を受信すると、受信された２次的コンテキスト情報をコンテキスト情報として格納するよう構成されていることを特徴とする。
【０００８】
以上のように本発明に係るコンテキスト情報収集ネットワークは、ユーザのクライアント端末から取得する１次的コンテキスト情報に基づいて、それに関連する２次的コンテキスト情報を取得することができるので、設備やコストを増やさずに、ユーザの多様なコンテキスト情報を取得することができる。本発明に係るコンテキスト情報収集ネットワークにおいて、１次的コンテキスト情報とは、ユーザのクライアント端末から得ることができるコンテキスト情報のことであり、２次的コンテキスト情報とは、その１次的コンテキスト情報に関連するコンテキスト情報のことである。
【０００９】
本発明に係るコンテキスト情報収集ネットワークは、通信部及びコンテンツ情報を格納するコンテンツ情報データベースを備えたコンテンツ情報サーバをさらに備え、前記コンテキスト情報サーバは、前記通信部が前記コンテンツ情報サーバからコンテンツ情報を受信すると、受信したコンテンツ情報に関連するコンテキスト情報を有するユーザを前記コンテキスト情報データベースに基づいて検索する検索手段をさらに備え、前記コンテキストサーバの通信部は、前記検索手段によって検索されたユーザのクライアント端末に前記コンテンツ情報を送信するよう構成されていることが好ましい。
【００１０】
また、本発明に係るコンテキスト情報収集ネットワークにおいて、前記コンテキスト情報サーバは、受信した１次的コンテキスト情報を送信する２次的コンテキスト情報検索システムを予め登録していることが好ましい。
【００１１】
さらに、受信した１次的コンテキスト情報に基づいてそれに関連する２次的コンテキスト情報検索システムを検索するシステム検索システムをさらに備え、前記コンテキスト情報サーバは、前記通信部がユーザのクライアント端末から１次的コンテキスト情報を受信すると、受信された１次的コンテキスト情報を通信部よって前記システム検索システムに送信し、前記システム検索システムは、受信した１次的コンテキスト情報に基づいて２次的コンテキスト情報検索システムを検索し、検索した２次的コンテキスト情報検索システムに関する情報を前記コンテキスト情報サーバに送信し、前記コンテキスト情報サーバは、前記通信部が前記システム検索システムから２次的コンテキスト情報検索システムに関する情報を受信すると、受信された情報に関する２次的コンテキスト情報検索システムに前記１次的コンテキスト情報を送信するよう構成されていることが好ましい。
【００１２】
また、上記目的を達成するため、本発明は、通信部及び該通信部によって受信されたコンテキスト情報をユーザ毎に格納するコンテキスト情報データベースを備えたコンテキスト情報サーバにおいて、前記通信部は、ユーザのクライアント端末から１次的コンテキスト情報を受信すると、前記コンテキスト情報サーバから受信した１次的コンテキスト情報に基づいてそれに関連する２次的コンテキスト情報を検索し、検索した２次的コンテキスト情報を前記コンテキスト情報サーバに送信する２次的コンテキスト情報検索システムに、受信した１次的コンテキスト情報を送信し、前記コンテキストデータベースは、前記通信部が前記２次的コンテキスト情報検索システムから２次的コンテキスト情報を受信すると、受信された２次的コンテキスト情報をコンテキスト情報として格納するよう構成されていることを特徴とする。本発明に係るコンテキスト情報サーバにおいて、前記通信部が、コンテンツ情報を格納するコンテンツ情報データベースを備えたコンテンツ情報サーバからコンテンツ情報を受信すると、前記コンテキスト情報データベースに格納されているコンテキスト情報に基づいて、受信したコンテンツ情報に関連するコンテキスト情報を有するユーザを検索する検索手段をさらに備え、前記通信部は、前記検索手段によって検索されたユーザのクライアント端末に前記コンテンツ情報を送信するよう構成されていることが好ましい。
【００１３】
さらに、上記目的を達成するため、本発明は、ユーザのクライアント端末から１次的コンテキスト情報を受信する１次的コンテキスト受信工程と、受信された１次的コンテキスト情報に基づいて２次的コンテキスト情報を検索する２次的コンテキスト検索工程と、該２次的コンテキスト検索工程によって検索された２次的コンテキスト情報を前記受信工程で受信された１次的コンテキスト情報とともにコンテキスト情報としてユーザ毎に格納するコンテキスト情報格納工程と、を備えたことを特徴とするコンテキスト情報収集方法である。本発明に係るコンテキスト情報収集方法は、新しいコンテンツ情報に関連するコンテキスト情報を有するユーザを前記コンテキスト情報格納工程で格納されたコンテキスト情報に基づいて検索するユーザ検索工程と、該ユーザ検索工程によって検索されたユーザに前記新しいコンテンツ情報を配信するコンテンツ情報配信工程と、をさらに備えていることが好ましい。
【発明の効果】
【００１４】
以上のように、本発明によれば、設備やコストを増やさずに、ユーザの多様なコンテキストを取得することが可能なコンテキスト情報収集ネットワーク、コンテキスト情報サーバ及びコンテキスト情報収集方法を提供することができる。
【発明を実施するための最良の形態】
【００１５】
次に、本発明に係るコンテキスト情報収集ネットワークの第１実施例について図面に基づいて説明する。第１実施例に係るコンテキスト情報収集ネットワークは、コンテンツ情報として鉄道の人身事故情報をユーザのコンテキスト情報に応じて配信するものである。図１は、第１実施例に係るコンテキスト情報収集ネットワークの概略図である。第１実施例に係るコンテキスト情報収集ネットワークは、ユーザのクライアント端末である移動体電話１０から１次的コンテキスト情報を収集するコンテキスト情報サーバ１２と、コンテキスト情報サーバ１２が収集した１次的コンテキスト情報に基づいて２次的コンテキスト情報を検索する２次的コンテキスト情報検索システム１４Ａ及び１４Ｂと、コンテンツ情報を格納するコンテンツ情報配信サーバ１６と、を備えており、これらは、例えばインターネットなど広域ネットワークを介して接続されている。
【００１６】
第１実施例に係るコンテキスト情報収集ネットワークに使用される移動体電話１０には、位置情報などユーザのコンテキスト情報を所定時間毎又はユーザの動作によってコンテキスト情報サーバ１２に配信し、またコンテキスト情報サーバ１２から配信されたコンテンツ情報をディスプレイに表示するＪａｖａアプリケーションが搭載されている。すなわち、第１実施例に係るコンテキスト情報収集ネットワークは、１次的コンテキストとしてユーザの位置情報を取得する。このＪａｖａアプリケーションは、ユーザのコンテキスト情報として位置情報を取得することができる。移動体電話１０とコンテキスト情報サーバ１２のプロトコルは、ＳＯＡＰ（Simple Object Access Protocol）メッセージングを用いており、このＳＯＡＰメッセージングは、移動体電話などな携帯端末向けに定義されたＪａｖａ実行環境の仕様であり、携帯端末用のユーザインターフェースやクラスライブラリなどを含んでいるＭＩＤＰ（Mobile Information Device Profile）１．０の標準クラスと本願出願人らが作成したクラスを組み合わせて実現している。この移動体電話１０は、基地局１１に無線で接続しており、基地局は、例えばインターネットなど広域ネットワークを介して、第１実施例に係るコンテキスト情報収集ネットワークに接続されている。なお、ユーザのクライアント端末としては、移動体電話１０の他、ＰＤＡ、ノートパソコンなどの情報機器を用いても良く、また位置情報は、ＧＰＳやＲＦＩＤ（Radio Frequency Identification）を利用したり、クライアント端末が東日本旅客鉄道株式会社のＳＵＩＣＡ（登録商標）のようなＩＣカード機能を保持した際の特定箇所（例えば駅改札口等）の通過情報を利用しても良い。なお、コンテンツ情報の移動体電話１０のディスプレイへの表示は、Ｊａｖａアプリケーションによる必要はなく、例えばコンテンツ情報をテキスト形式でＥ−ｍａｉｌによって受信した場合は、このコンテンツ情報は、メーラーによってディスプレイに表示することが可能である。また、移動体電話１０とコンテキスト情報サーバ１２のプロトコルは、ＳＯＡＰメッセージングに限定されず、他のプロトコルを用いても良い。
【００１７】
コンテキスト情報サーバ１２は、主としてコンテキスト情報サーバ本体１８と、ユーザ毎のコンテキスト情報を格納するコンテキスト情報データベース２０と、ユーザの基本的な情報、例えばユーザの住所、名前及び自宅の最寄駅などに関する情報を格納するユーザ情報データベース２２と、を備えている。
【００１８】
コンテキスト情報サーバ本体１８は、図２に示すように、通信部２４と、情報等を一時的に記憶するメモリ２６と、プログラムを格納するプログラム格納部２８と、プログラム格納部２８に格納されたプログラムなどに基づいて情報の抽出や通信部２４などの制御を行う制御部３０と、を備えている。コンテキスト情報サーバ１２と２次的コンテキスト情報検索システム１４Ａ、１４Ｂのプロトコルは、ＳＯＡＰ  ＲＰＣ（Remote Procedure Call）を用いるが、これに限定されず、他のプロトコルを用いても良い。
【００１９】
プログラム格納部２８は、コンテキスト情報の収集を行うコンテキスト情報収集プログラム２８Ａと、コンテンツ情報の配信を行うコンテンツ情報配信プログラム２８Ｂと、を備えている。コンテキスト情報収集プログラム２８Ａには、予め１次的コンテキスト情報を送信する２次的コンテキスト情報検索システム１４Ａ、１４Ｂが登録されている。
【００２０】
コンテキスト情報データベース２０は、ユーザの位置情報などのコンテキスト情報をユーザ毎に格納しており、移動体電話１０や２次的コンテキスト情報検索システム１４から新しいコンテキスト情報が通信部２４によって受信されると、その受信された新しいコンテキスト情報に更新するように構成されている。また、更新前の過去のコンテキスト情報は、直ぐに消去せず、ある程度の期間、ユーザ毎格納し、これらはコンテキスト情報として利用しても良い。コンテキスト情報サーバ１２は、このようにコンテキスト情報データベース２０とユーザ情報データベース２２を分けて、Microsoftパスポートやリバティアライアンスなど外部ユーザ認証機関のユーザデータベースと連携できるように設計している。また、XMLで記述したユーザ情報データ及びコンテキスト情報データのスキーマは、拡張性を持たせる必要があるため、データベースには、ネイティブXMLデータベース（NXDB：XMLツリー構造をそのままの形式で格納可能なデータベース）を利用している。このようにNXDBを用いた結果、コンテキスト情報をツリー状態で格納でき、XPATH式を利用する条件マッチング検索なども容易に行うことができる。その他、情報の取り出しもXMLドキュメント形式で取り出せるため、スタイルシート別のフォーマットで表示することなども可能である。なお、コンテキスト情報データベース２０は、ユーザの移動体電話１０のｅ−ｍａｉｌアドレスに関する情報も格納している。
【００２１】
本実施例に係るコンテキスト情報収集ネットワークにおいて、２次的コンテキスト情報検索システム１４Ａ、１４Ｂとしては、コンテキスト情報サーバ１２から受信した移動体電話１０の位置情報（緯度、経度）に基づいて最寄の駅を検索する最寄駅検索システム１４Ａ及びその最寄駅などに基づいて路線を検索する路線検索システム１４Ｂが利用されている。すなわち、本実施例に係るコンテキスト情報収集ネットワークは、２次的コンテキスト情報として最寄駅に関する情報と路線に関する情報を取得する。最寄駅検索システム１４Ａ及び１４Ｂは、プログラム格納部に格納されているプログラム以外同様の構成からなり、図３に示すように通信部３４Ａ（３４Ｂ）と、プログラムを格納するプログラム格納部３６Ａ（３６Ｂ）と、プログラム格納部３６Ａ（３６Ｂ）に格納されたプログラムなどに基づいて情報の検索や通信部３４Ａ（３４Ｂ）などの制御を行う制御部３８Ａ（３８Ｂ）と、を備えている。
【００２２】
本実施例に係るコンテキスト情報収集ネットワークにおいて、コンテンツ情報配信サーバ１６は、コンテンツとして鉄道の事故情報をコンテキスト情報サーバ１２に配信するよう構成されており、主としてコンテンツ情報配信サーバ本体４０と、事故情報を格納する事故情報データベース４２と、を備えている。コンテンツ情報サーバ本体４０は、図４に示すように通信部４４と、事故情報を入力する入力部４６と、これら通信部４４と入力部４６を制御する制御部４８と、を備えている。このコンテンツ情報サーバ１６は、入力部４６によって事故情報が入力されると、事故情報データベース４２にその事故情報が格納され、その事故情報は、通信部４４によってＳＯＡＰメッセージングでコンテキスト情報サーバ１２に配信されるよう構成されている。なお、事故情報データベース４２とコンテキスト情報サーバ１２のプロトコルは、ＳＯＡＰメッセージングに限定されず、他のプロトコルを用いても良い。
【００２３】
次に、本実施例に係るコンテキスト情報収集ネットワークの動作をについて説明する。最初に、コンテキスト情報収集プログラム２８Ａに基づく動作を図５に示すフローチャートに基づいて説明する。先ず、移動体電話１０は、それに搭載されたＪａｖａアプリケーションによって、所定時間毎、例えば１時間毎に移動体電話１０の位置情報（緯度、経度）をコンテキスト情報サーバ１２に送信する（Ｓ１００）。コンテキスト情報サーバ１２は、移動体電話１０から位置情報を受信すると、その位置情報をメモリ２２に記憶させるとともに、通信部１８２４によって最寄駅検索システム１４Ａに送信する（Ｓ１０２）。最寄駅検索システム１４Ａは、コンテキスト情報サーバ１２から位置情報を受信すると、その位置情報の最寄の駅を１以上検索し（Ｓ１０４）、その検索された最寄駅に関する情報を通信部３４によってコンテキスト情報サーバ１２に送信する（Ｓ１０６）。コンテキスト情報サーバ１２は、最寄駅検索システム１４Ａから最寄駅に関する情報を受信すると、その最寄駅の情報をメモリ２２に記憶させるとともに、ユーザ情報データベース２８からそのユーザの自宅駅に関する情報を取得して、メモリ２２に記憶させる（Ｓ１０８）。次に、コンテキスト情報サーバ１２は、メモリ２２に記憶されている最寄駅に関する情報と自宅駅に関する情報を通信部１８２４によって路線検索システム１４Ｂに送信する（Ｓ１１０）。路線検索システム１４Ｂは、コンテキスト情報サーバ１２から最寄駅の情報及び自宅駅に関する情報を受信すると、これら情報に基づいてその最寄駅と自宅駅を結ぶ１以上の路線情報を検索し（Ｓ１１２）、その検索された路線情報を通信部３４によってコンテキスト情報サーバ１２に送信する（Ｓ１１４）。コンテキスト情報サーバ１２は、２次的コンテキスト情報検索システム１４から路線情報を受信すると、この路線情報をメモリ２２に記憶されている位置情報及び最寄駅情報とともにコンテキスト情報データベース２０に格納する（Ｓ１１６）。
【００２４】
次に、コンテンツ情報配信プログラム２８Ｂに基づく動作を図６に示すフローチャートに基づいて説明する。先ず、コンテンツ情報配信サーバ１６は、人身事故が発生した際に、入力部４６によって事故情報が入力されると（Ｓ１１８）、事故情報データベース４２にその事故情報（事故内容、不通路線名）が格納され（Ｓ１２０）、通信部４４によってその事故情報をコンテキスト情報サーバ１２に配信する（Ｓ１２２）。コンテキスト情報サーバ１２は、コンテンツ情報配信サーバ１６から事故情報を受信すると、先ず、その事故情報をメモリ２６に記憶し、その事故情報に含まれる不通路線名と同一の路線名をコンテキスト情報として有するユーザをコンテキスト情報データベース２０から検索し（Ｓ１２４）、そのユーザの移動体電話１０のｅ−ｍａｉｌアドレスにメモリ２６に記憶されている事故情報を配信する（Ｓ１２６）。これにより、ユーザは、自らが利用する予定の路線の事故情報を知ることができる。
【００２５】
次に、本発明に係るコンテキスト情報収集ネットワークの第２実施例について図面に基づいて説明する。図７は、第２実施例に係るコンテキスト情報収集ネットワークの概略図である。第２実施例に係るコンテキスト情報収集ネットワークは、第１実施例に係る情報収集配信システムと異なり、コンテキスト情報収集プログラム２８Ａに予め登録されている２次的コンテキスト情報検索システム１４Ａ、１４Ｂだけでなく、ＵＤＤＩ（Universal Description, Discovery, and Integration）に問い合わせて得られた２次的コンテキスト情報検索システム１４Ｃ、１４Ｄ・・・からも２次的コンテキスト情報を取得するよう構成されている。
【００２６】
すなわち、第２実施例に係るコンテキスト情報収集システムが含まれた情報収集配信ネットワークには、ＵＤＤＩ５０が含まれており、このＵＤＤＩ５０は、コンテキスト情報サーバ１２から１次的コンテキスト情報を受信すると、その１次的コンテキスト情報に関連する２次的コンテキスト情報検索システム１４Ｃ、１４Ｄ・・・を検索して、その情報をコンテキスト情報サーバ１２に配信するように構成されている。
【００２７】
次に、第２実施例に係るコンテキスト情報収集システムのコンテキスト情報収集プログラム２８Ａに基づく動作について説明する。先ず、コンテキスト情報サーバ１２は、移動体電話１０から１次的コンテキスト情報を受信すると（Ｓ２００）、先ず、１次的コンテキスト情報をメモリ２６に記憶させるとともに、ＵＤＤＩ５２にその１次的コンテキスト情報を送信する（Ｓ２０２）。ＵＤＤＩ５２は、１次的コンテキスト情報を受信すると、その１次的コンテキスト情報に関連する２次的コンテキスト情報検索システム１４Ｃ、１４Ｄ・・・を検索し（Ｓ２０４）、検索した２次的コンテキスト情報システム１４Ｃ、１４Ｄ・・・の情報をコンテキスト情報サーバ１２に送信する（Ｓ２０６）。コンテキスト情報サーバ１２は、ＵＤＤＩ５２から２次的コンテキスト検索システム１４Ｃ、１４Ｄ・・・に関する情報を受信すると、受信した２次的コンテキスト検索システム１４Ｃ、１４Ｄ・・・に関する情報に係る２次的コンテキスト情報システム１４Ｃ、１４Ｄ・・・と予めコンテキスト情報収集プログラム２８Ａに登録されている２次的コンテキスト情報検索システム１４Ａ、１４Ｂに移動体電話１０から受信した１次的コンテキスト情報を送信する（Ｓ２０８）。これら２次的コンテキスト情報検索システム１４Ａ、１４Ｂ、１４Ｃ、１４Ｄ・・・は、コンテキスト情報サーバ１２から１次的コンテキスト情報を受信すると、これら情報に関連する２次的コンテキスト情報を検索し（Ｓ２１０）、その検索された２次的コンテキスト情報を通信部３４によってコンテキスト情報サーバ１２に送信する（Ｓ２１２）。コンテキスト情報サーバ１２は、２次的コンテキスト情報検索システム１４Ａ、１４Ｂ、１４Ｃ、１４Ｄ・・・から２次的コンテキスト情報を受信すると、２次的コンテキスト情報をメモリ２２に記憶されている１次的コンテキスト情報とともにコンテキスト情報データベース２０に格納する（Ｓ２１４）。
【図面の簡単な説明】
【００２８】
【図１】本発明に係るコンテキスト情報収集ネットワークの第１実施例の概略図である。
【図２】第１実施例に係るコンテキスト情報収集ネットワークのコンテキスト情報サーバ本体のブロック図である。
【図３】第１実施例に係るコンテキスト情報収集ネットワークの２次的コンテキスト検索システムのブロック図である。
【図４】第１実施例に係るコンテキスト情報収集ネットワークのコンテンツ情報サーバのブロック図である。
【図５】第１実施例に係るコンテキスト情報収集ネットワークのコンテキスト情報収集プログラムに基づく動作を示すフローチャートである。
【図６】第１実施例に係るコンテキスト情報収集ネットワークのコンテンツ情報配信プログラムに基づく動作を示すフローチャートである。
【図７】本発明に係るコンテキスト情報収集ネットワークの第２実施例の概略図である。
【符号の説明】
【００２９】
１０   移動体電話
１２   コンテキスト情報サーバ
１４Ａ、１４Ｂ       ２次的コンテキスト情報検索システム
１６   コンテンツ情報配信サーバ
２０   コンテキスト情報データベース
２４   通信部
【図１】
2006012076.tif 000003
【図２】
2006012076.tif 000004
【図３】
2006012076.tif 000005
【図４】
2006012076.tif 000006
【図５】
2006012076.tif 000007
【図６】
2006012076.tif 000008
【図７】
2006012076.tif 000009